(57)【要約】【課題】電極を有する電界通信装置、アンテナを有するＩＣカードリーダライタ、ＩＣカード配置領域をコンパクトに組み込むことができ、小型に製作でき、これらの要素のレイアウトを最適にして、内部または外部のＩＣカードリーダライタによるＩＣカードの記録情報の読取り・書込みを機能を低下させることなく行うことができ、外部からの影響を適切に排除することができる電界通信携帯端末を提供する。【解決手段】電界通信携帯端末１０は、２つの電極板１３Ａ，１３Ｂを有する電界通信装置（電界通信モジュール１４）と、アンテナ１７を有するＩＣカードリーダライタ１６と、ＩＣカード配置領域（収容部１２）とを備え、このＩＣカード配置領域を、２つの電極板の間のスペース、またはいずれか一方の電極板の外側のスペースに設けたことを特徴としている。【選択図】図４
2013223221.tif 000002
【特許請求の範囲】
【請求項１】
２つの平面体電極を有する電界通信装置と、アンテナを有するＩＣカードリーダライタと、ＩＣカード配置領域とを備え、前記ＩＣカード配置領域を、２つの前記平面体電極の間、またはいずれか一方の前記平面体電極の外側に設けたことを特徴とする電界通信携帯端末。
【請求項２】
２つの前記平面体電極のうち一方の前記平面体電極の外側に前記ＩＣカード配置領域を設け、前記ＩＣカード配置領域内に配置されたＩＣカードは、前記ＩＣカードリーダライタによって読み取られると共に、外部に設けられたＩＣカードリーダライタによっても読み取ることが可能であるを特徴とする請求項１記載の電界通信携帯端末。
【請求項３】
平行に配置された２つの前記平面体電極の間に前記ＩＣカード配置領域を設け、前記ＩＣカード配置領域内に配置されたＩＣカードは前記ＩＣカードリーダライタによって読み取られ、かつ前記ＩＣカードに対して前記平面体電極が外部影響を排除する遮蔽要素となることを特徴とする請求項１記載の電界通信携帯端末。
【請求項４】
前記平面体電極の抵抗値が相対的に小さいとき、前記ＩＣカードと当該ＩＣカードに対面する前記平面体電極との間に磁路を形成する磁性材を設けたことを特徴とする請求項１または２記載の電界通信携帯端末。
【請求項５】
外部に設けられたＩＣカードリーダライタによって前記ＩＣカードが読み取られるように、遮蔽要素として機能する前記平面体電極の設置領域に、外部の前記ＩＣカードリーダライタからの磁束が通る磁束通過部を設けたことを特徴とする請求項３記載の電界通信携帯端末。
【請求項６】
前記平面体電極は電極板であることを特徴とする請求項１記載の電界通信携帯端末。
【請求項７】
前記平面体電極は、端末ケースの壁部内面に形成された膜状電極であることを特徴とする請求項１記載の電界通信携帯端末。
【請求項８】
前記平面体電極はＩＴＯ材で作られた透明電極であることを特徴とする請求項１記載の電界通信携帯端末。
【請求項９】
前記ＩＣカードリーダライタは、前記ＩＣカード配置領域内に配置された前記ＩＣカードに記録されたＩＤを読取り、前記ＩＤを前記電界通信装置を経由して外部へ送信することを特徴とする請求項３記載の電界通信携帯端末。
【発明の詳細な説明】
【技術分野】
【０００１】
本発明は電界通信携帯端末に関し、特に、電界通信（人体通信）の送受信機の構成とＲＦＩＤタグ（ＩＣカード）のＩＤ認証の構成とを有し電界通信を介してＩＤ認証を行える電界通信携帯端末に関する。
【背景技術】
【０００２】
例えば特定の関係者のみが入出できる部屋の認証システムであって、ＲＦＩＤタグ（無線ＩＣタグ）を使用した認証システムでは、ＲＦＩＤタグを備えた非接触ＩＣカード（本明細書等では一般的に「ＩＣカード」と記す）をドアの近くに設置されたＩＣカードリーダライタの端末の箇所でかざすと、ＲＦＩＤタグのＩＤ情報をＩＣカードリーダライタが読取り、制御用コンピュータが当該ＩＤの適否を判断し、入室を許可する。このようなＲＦＩＤタグ認証システムの場合には、本来の正当な権利を有する関係者がＩＣカードを他者に貸与すると、正当な権利を有しない他者も入室可能になり、非関係者の入室阻止に係るセキュリティーを保つことができなくなる。
【０００３】
また関係者の指紋等の認証（生体認証）を行って個人を特定し、その入室の許可・不許可を判断する認証システムも従来から存在している。
【０００４】
さらに近年では電界通信（人体通信）を利用した各種のシステムが知られている。例えば、下記の特許文献１に開示された人体通信の指紋認証方法や、特許文献２に開示された電界通信による自動販売機の電子決済システムでは、指紋認証の方法を組み合わせた技術的アイデアが提案されている。特許文献１に開示される指紋認証の方法は人体通信装置を携帯した２人の使用者の間の人体接触に基づく人体通信での指紋認証を行う方法である。特許文献２に開示される自動販売機の電子決済システムは、自動券売機と利用者の携帯する電界通信端末との間での人体通信を経由して行われる電子決済システムであって、利用者が自動券売機の商品選択ボタンに設けられた指紋センサにタッチしたときに、自動券売機側で指紋情報を取得し、この指紋情報と電界通信端末に記憶された指紋情報とを電界通信端末で照合し、同一と判断されたときに決済処理を行うように構成されている。
また特許文献３は携帯電話機に装着できる電界通信携帯端末を開示している。電界通信携帯端末は電界通信電極を備え、さらにこの電界通信電極が備える電極板には携帯電話に内蔵されたＩＣカード用の無線信号を通過させるスリットを設けている。
【先行技術文献】
【特許文献】
【０００５】
【特許文献１】特開２００９−２６６２３４号公報
【特許文献２】特開２０１０−１０８２３４号公報
【特許文献３】特開２００９−３０２８６６号公報
【発明の概要】
【発明が解決しようとする課題】
【０００６】
上記の従来技術の背景から、近年では、電界通信（人体通信）を利用した電界通信装置と、ＩＣカードによるＲＦＩＤタグ認証装置と、さらに生体認証の装置とを組み合わせることにより、セキュリティーをいっそう高めた電界通信携帯端末が技術的に望まれている。このような電界通信携帯端末では、カードホルダのごとき非常に小さなスペースを有するケース内に、少なくとも、電界通信装置と、ＩＣカードリーダライタのユニットと、ＩＣカード配置領域とをコンパクトに組み込むことが要求される。なお、この電界通信携帯端末は、ＩＣカードを挿入しセットして使用するものであるので、必然的にＩＣカードのカードホルダとしての外形形状を有する。
【０００７】
１つのカードホルダの中に、電界通信の送受信機（電界通信装置）と、ＩＣカードリーダライタおよびアンテナとの両方を内蔵するように構成された電界通信携帯端末では、構成要素のレイアウトの観点で、次のような問題や課題が提起される。
【０００８】
基本的に、電界通信携帯端末の内部に設けられたＩＣカード配置領域の中にＩＣカードを挿入してセットしたとき、通常、内部のＩＣカードリーダライタで当該ＩＣカードのメモリに記憶された記録内容が読み取られる。他方、ＩＣカード配置領域にセットされたＩＣカードは、必要に応じて、電界通信携帯端末の外部に配置されたＩＣカードリーダライタによって読み書きされることもあり得る。
【０００９】
上記構成の前提下で、例えば、電界通信装置では、対向して平行に配置されている一対の電極板を有するが、これらの電極板に対して携帯端末の内部に設けられたＩＣカードリーダライタのアンテナの設置位置およびＩＣカード配置領域の位置を適切に構成しないと、電磁界を遮断する電極板の作用によりＩＣカードリーダライタの出力が減衰し、ＩＣカードの記録内容を読取ることができない場合が生じる。
【００１０】
また、上記の一対の電極板は、導体（金属板等）であり、カードホルダ内に配置されたＩＣカードに対して電磁界を遮る遮断部材になるので、電極板とＩＣカードの配置位置を適切に構成しないと、外部のＩＣカードリーダライタによってＩＣカードの記録内容を読み取れない場合が生じる。
【００１１】
さらに電界通信携帯端末のカードホルダ内のＩＣカード配置領域にセットされたＩＣカードの記録内容を内部のＩＣカードリーダライタが読取るときに、外部に存する磁界等を発生する各種ユニットからの影響をできるだけ受けないようにすることが望まれる。
【００１２】
本発明の目的は、上記の課題に鑑み、ケース内に一対の電極板等を有する電界通信装置、アンテナを有するＩＣカードリーダライタ、ＩＣカード配置領域をコンパクトに組み込むことができ、全体形状を小型に製作することができ、かつこれらの要素のレイアウトを最適にして、内部または外部のＩＣカードリーダライタによるＩＣカードの記録情報の読取り・書込みを機能を低下させることなく行うことができ、外部からの影響を適切に排除することができる電界通信携帯端末を提供することにある。
【課題を解決するための手段】
【００１３】
本発明に係る電界通信携帯端末は上記の目的を達成するため次のように構成される。
【００１４】
第１の電界通信携帯端末（請求項１に対応）は、２つの平面体電極を有する電界通信装置と、アンテナを有するＩＣカードリーダライタと、ＩＣカード配置領域とを備え、ＩＣカード配置領域を、２つの平面体電極の間、またはいずれか一方の平面体電極の外側に設けたことを特徴としている。
【００１５】
上記の電界通信携帯端末では、カードホルダのごとき小型容器の内部において、一対の平面体電極との位置関係においてＩＣカードの配置領域を最適に決定するようにしたため、電界通装置、ＩＣカードリーダライタおよびアンテナ、ＩＣカード配置領域をコンパクトに組み込むことができ、さらに平面体電極の遮蔽作用を適切に調整して、ＩＣカード配置領域に配置されたＩＣカードの記録情報の読取り等の性能を高め、かつ不要な外部影響を排除することができる。
【００１６】
第２の電界通信携帯端末（請求項２に対応）は、上記の構成において、好ましくは、２つの平面体電極のうち一方の平面体電極の外側にＩＣカード配置領域を設け、ＩＣカード配置領域内に配置されたＩＣカードは、上記の内部のＩＣカードリーダライタによって読み取られると共に、外部に設けられたＩＣカードリーダライタによっても読み取ることが可能であるを特徴とする。この構成によれば、一方の平面体電極の形状および大きさを適切に調整して磁束が通るスペースを作り、これにより内部のＩＣカードリーダライタによるＩＣカードの読取り等を行うことができ、さらにＩＣカード配置領域を外側に設けることにより外部のＩＣカードリーダライタによるＩＣカードの読取り等も可能になる。
【００１７】
第３の電界通信携帯端末（請求項３に対応）は、上記の構成において、好ましくは、平行に配置された２つの平面体電極の間にＩＣカード配置領域を設け、ＩＣカード配置領域内に配置されたＩＣカードはＩＣカードリーダライタによって読み取られ、かつＩＣカードに対して平面体電極が外部影響を排除する遮蔽要素となることを特徴とする。この構成では、ＩＣカードが２つの平面体電極の間のスペースに配置されることになり、同様に２つの平面体電極の間に設けられた内部のＩＣカードリーダライタによるＩＣカードの読み取り等が行われると共に、少なくとも一つの平面体電極の遮蔽作用により外部からの磁束等の影響を排除することが可能となる。
【００１８】
第４の電界通信携帯端末（請求項４に対応）は、上記の構成において、好ましくは、平面体電極の抵抗値が相対的に小さいとき、ＩＣカードと当該ＩＣカードに対面する平面体電極との間に磁路を形成する磁性材を設けたことを特徴とする。この構成により、内部のＩＣカードリーダライタから出た磁束は、ＩＣカード配置領域にセットされたＩＣカードに対して有効に導かれる。
【００１９】
第５の電界通信携帯端末（請求項５に対応）は、上記の構成において、好ましくは、外部に設けられたＩＣカードリーダライタによってＩＣカードが読み取られるように、遮蔽要素として機能する平面体電極の設置領域に、外部のＩＣカードリーダライタからの磁束が通る磁束通過部を設けたことを特徴とする。この構成では、遮蔽要素として機能する平面的電極の形、大きさ、寸法を適切に調整することによって当該平面体電極の設置領域に磁束通過部を設けるようにしている。これにより不要な外部からの影響は排除しながら、必要な外部からの磁束はＩＣカード配置領域に配置されたＩＣカードに導くようにしている。
【００２０】
第６の電界通信携帯端末（請求項６に対応）は、上記の構成において、好ましくは、平面体電極は電極板であることを特徴とする。この構成では、平面体電極は金属を用いた電極板として形成される。
【００２１】
第７の電界通信携帯端末（請求項７に対応）は、上記の構成において、好ましくは、平面体電極は、端末ケースの壁部内面に形成された膜状電極であることを特徴とする。平面体電極は膜状の電極として作ることも可能である。
【００２２】
第８の電界通信携帯端末（請求項８に対応）は、上記の構成において、好ましくは、平面体電極はＩＴＯ材で作られた透明電極であることを特徴とする。平面体電極を透明電極として形成することにより、例えばケース部材も透明にすることにより、ＩＣカード配置領域に配置されたＩＣカードが一対の平面体電極の間に存在するとしても外部より視認することが可能となる。
【００２３】
第９の電界通信携帯端末（請求項９に対応）は、上記の構成において、好ましくは、ＩＣカードリーダライタは、ＩＣカード配置領域内に配置されたＩＣカードに記録されたＩＤを読取り、ＩＤを前記電界通信装置を経由して外部へ送信することを特徴とする。
【発明の効果】
【００２４】
本発明に係る電界通信携帯端末によれば、次の効果を奏する。
第１に、カードホルダ型の小型のケース内において一対の電極板等を有する電界通信装置、アンテナを有するＩＣカードリーダライタ、ＩＣカード配置領域をコンパクトに組み込むことができ、全体形状を小型に製作することができる。
第２に、ケース内における電界通信モジュールおよび一対の電極板等、ＩＣカードリーダライタおよびアンテナ、ＩＣカード配置領域等のレイアウトを適切に構成し、さらに電極板等の形状、大きさ、寸法を適切に調整することにより、電極板等の遮蔽作用を保持しつつ最適な磁束通過部を設け、内部または外部のＩＣカードリーダライタによるＩＣカードの記録情報の読取り・書込みを機能を低下させることなく行うことができ、さらに外部からの不要な影響を適切に排除することができる
第３に、アンテナに対応する適切な位置に磁性材を設けて磁束通路を作り、ＩＣカードに対しアンテナからの磁束を有効に導き、内部のＩＣカードリーダライタによるＩＣカードの記録情報の読取り・書込みを機能を向上させることができる。
第４に、特に、電界通信機能を有さずかつＩＣカードリーダライタのみが設けられた自動改札機等に対しては、カードホルダ型のケースにＩＣカードを挿入したままの状態でのタッチ行為で認証を行うことができる。
【図面の簡単な説明】
【００２５】
【図１】本発明に係る電界通信携帯端末の全体形状の一例を示す外観図である。
【図２】本発明に係る電界通信携帯端末に内蔵される装置の構成をブロック図で概念的に示す縦断面図である。
【図３】本発明に係る電界通信携帯端末の装置構成を示すブロック図である。
【図４】電界通信携帯端末の代表的な第１の実施形態の構造を時系列的に示した縦断面図であり、（Ａ）はＩＣカードの挿入時の状態を示す縦断面図、（Ｂ）は内部のＩＣカードリーダライタでＩＣカードを読み書きする時の状態を示す縦断面図、（Ｃ）は外部のＩＣカードリーダライタでＩＣカードを読み書きする時の状態を示す縦断面図である。
【図５】電界通信携帯端末の第２の実施形態の構造を示し、図４（Ｂ）に対応する縦断面図である。
【図６】電界通信携帯端末の第３の実施形態の構造を示し、図４（Ｂ）に対応する縦断面図である。
【発明を実施するための形態】
【００２６】
以下に、本発明の好適な実施形態（実施例）を添付図面に基づいて説明する。
【００２７】
図１を参照して本発明に係る電界通信携帯端末の全体的な形状および構造について概説する。図１は電界通信携帯端末の特徴的形状を有する外観を示している。なお電界通信携帯端末１０の「電界通信」は、「人体通信」とも云われ、カードホルダ型の電界通信携帯端末１０を身につけた利用者の人体を媒介させ、静電界の作用を利用して外部の電界通信装置との間で情報の送受を行える通信機能である。
【００２８】
電界通信携帯端末１０の機器全体の形は、電界通信機能部（電界通信装置）を内蔵したカードホルダ型の形状を有している。電界通信携帯端末１０の外形は、厚みが薄く全体として扁平なカードホルダの形状をなしており、正面から見た長方形の形状における１つの短辺の部分にＩＣカード１１を出し入れ自在に挿入して内部に装着することのできるスリット口１０Ａを形成している。スリット口１０Ａの壁部の一部には凹所１０Ｂが形成されている。電界通信携帯端末１０の内部には、スリット口１０Ａから挿入されたＩＣカード１１を収容する収容部１２（ＩＣカード配置領域）が設けられている。電界通信携帯端末１０、すなわちカードホルダの正面形状はほぼ長方形である。本実施形態に係る電界通信携帯端末１０は、上記の電界通信装置に加えて、後述するようにＩＣカードリーダライタ（ＲＦＩＤタグリーダライタ）およびアンテナを内蔵するように構成されており、上記のようにＩＣカード１１の収容部１２が併せて設けられている。このＩＣカードリーダライタは電磁誘導方式（周波数帯域は１３．５６ＭＨｚ帯）であり、そのアンテナからは磁束が出力される。電界通信携帯端末１０に内蔵されるアンテナは例えばループ状のアンテナである。このアンテナは、電界通信携帯端末１０内に配置されたＩＣカード１１内のＲＦＩＤタグとの間でデータの送受を行うためのアンテナである。また電界通信携帯端末１０の内部にはバッテリが設けられる。さらに電界通信携帯端末１０の電界通信装置については、例えばその正面部と背面部の両側部分等を利用して電界通信用の電極板が設けられている。２枚の電極板は、平面体の形状を有しており、好ましくはほぼ同じ大きさであり、平行な位置関係で対向するように配置されている。
【００２９】
図２および図３を参照して、電界通信携帯端末１０内に設けた装置の基本的な構成を説明する。
【００３０】
１３Ａ，１３Ｂは、電界通信携帯端末１０内の電界通信装置に備えられた２つの電極板を示す。２枚の電極板１３Ａ，１３Ｂは対向するように平行に配置されている。電界通信装置１０では２つの平面体電極が必須である。この実施形態では２枚の電極板１３Ａ，１３Ｂが用いられている例を示した。但し、電極板の数は２枚に限られない。２枚の電極板１３Ａ，１３Ｂの間のスペースには、電界通信装置の電界通信モジュール１４、ＩＣカード１１を配置するための収容部１２、収容部１２に配置されたＩＣカード１１、ＣＰＵ１５、ＩＣカードリーダライタ１６、アンテナ１７が設けられている。
【００３１】
ＩＣカードリーダライタ１６は、アンテナ１７を経由して収容部１２に配置されたＩＣカード１１との間で磁束１８を介して情報の送受を行い、ＩＣカード１１のメモリに記録されたＩＤを読み取る。ＩＣカードリーダライタ１６は、ＩＣカード１１から読み取ったＩＤをＣＰＵ１５に送る。当該ＩＣカード１１のＩＤは、さらに電界通信モジュール１４および電極板１３Ａ，１３Ｂを介して外部の装置に送信される。電界通信モジュール１４は、本来的に電界通信用の制御装置であり、専用のＣＰＵ（演算制御処理部）１９とメモリ２０と通信部２１を備え、当該メモリ２０には電界通信モジュール１４のＩＤと、ＩＤを送信するプログラムとが記憶されている。本実施形態の場合、ＩＤを送信するプログラムは、上記のＩＣカード１１のＩＤを送信する機能に変更されている。
【００３２】
電界通信モジュール１４のＣＰＵ１９は、ＣＰＵ１５からＩＣカード１１のＩＤを受け取ると、当該ＩＣカード１１のＩＤ情報を電界通信データに変換し、２枚の電極板１３Ａ，１３Ｂに送る。当該電界通信データは、電極板１３Ａ，１３Ｂと例えば床電極等との間で、利用者の人体および電界を経由して送信される。
【００３３】
次に、図４を参照して、電界通信携帯端末１０の代表的な第１の実施形態の構造を説明する。
図４は、３つの縦断面図（Ａ），（Ｂ），（Ｃ）からなり、時系列的観点で示されている。図４において、（Ａ）は電界通信携帯端末１０の収容部１２内にＩＣカード１１を挿入する時の状態を示す縦断面図、（Ｂ）は収容部１２に配置されたＩＣカード１１の記録情報を電界通信携帯端末１０の内部のＩＣカードリーダライタ１６で読み書きする時の状態を示す縦断面図、（Ｃ）は収容部１２に配置されたＩＣカード１１の記録情報を電界通信携帯端末１０の外部に存在する他のＩＣカードリーダライタで読み書きする時の状態を示す縦断面図である。
【００３４】
図４の（Ａ）〜（Ｃ）に示された電界通信形携帯端末１０の構造について説明する。電界通信携帯端末１０の外観は、ケースをなすカードホルダ３１によって形成される。カードホルダ３１内の図４中の上面壁の裏側には電極板１３Ａが埋設され、下面壁の裏側には電極板１３Ｂが埋設されている。電極板１３Ａはカードホルダ３１の上面壁とほぼ同じ大きさの矩形に形成されている。電極板１３Ｂは、カードホルダ３１の下面壁に比較して長さ方向に関してより短い寸法となるような大きさの矩形に形成されている。その結果、図中において区間３２で電極板１３Ｂが存在しない箇所が形成される。またカードホルダ３１内において電極板１３Ａと電極板１３Ｂの間には回路基板３３と収容部１２とが設けらている。回路基板３３上には前述した電界通信モジュール１４の回路要素、ＩＣカードリーダライタ１６の回路要素、ＣＰＵ１５、アンテナ１７等が設けられている。収容部１２は、ＩＣカード１１が挿入され、配置される領域である。収容部１２と電極板１３Ｂとの間には板状の磁性材３４が設けられる。磁性材３４は、例えば鉄等の磁束を通す磁路を形成する部材である。上下の電極板１３Ａ，１３Ｂの各々は、回路基板３３上に設けられた電界通信モジュール１４と導体部３５，３６で電気的に接続されている。なお電界通信携帯端末１０のカードホルダ３１内に設けられるバッテリの図示は省略されている。
【００３５】
上記の構造を有するカードホルダ型の電界通信携帯端末１０において、図４（Ａ）に示されるようにスリット口１０ＡからＩＣカード１１が挿入され、当該ＩＣカード１１は収容部１２内に配置される。この結果、電界通信携帯端末１０内では、図４（Ｂ）に示されるような構造にてＩＣカード１１がセットされている。この状態において、電界通信携帯端末１０内の回路基板３３上に設けられたＩＣカードリーダライタ１６によってＩＣカード１１の記録情報（ＩＤ）を読み取る。内部のＩＣカードリーダライタ１６がＩＣカード１１の記録情報を読み取るときには、回路基板３３の裏面側に設けたアンテナ１７を通して磁束１８が出され、磁路が形成される。回路基板３３のアンテナ１７から出た磁束１８はＩＣカード１１を通過し、さらに磁性材３４でＩＣカード１１の側に戻される。当該磁束１８に基づいてＩＣカード１１内に記録されたＩＤが内部のＩＣカードリーダライタ１６によって読み取られる。磁性材３４は、ＩＣカードリーダライタ１６の出力減衰およびＩＣカードリーダライタ１６の共振周波数の変化を防止する働きを有する。これによって、電界通信携帯端末１０の内部のＩＣカードリーダライタ１６はＩＣカード１１の記録情報を高い出力状態で読み取ることができる。
【００３６】
さらに上記の構造によれば、電界通信携帯端末１０の収容部１２の中に配置されたＩＣカード１１に対してその裏面側（外側）に電極板１３Ｂを配置したため、当該電極板１３Ｂは、ＩＣカードリーダライタ１６から見ると、ＩＣカード１１への外部の影響を遮断する遮蔽板として作用する。他方、電界通信携帯端末１０の外部に存在するＩＣカードに対しては、電極板１３ＢはＩＣカードリーダライタ１６のアンテナ１７からの磁束等を減衰したり、共振周波数の異常を発生させる。これにより、上記構造を有する電界通信携帯端末１０によれば、ＩＣカードリーダライタ１６は、内部のＩＣカード１１のみを高い出力で状態で読取ることができ、外部のＩＣカードについては読取りができないという作用効果を生じる。
【００３７】
図４（Ｃ）に示した構造によれば、電界通信携帯端末１０の外部に存在するＩＣカードリーダライタ３７によって、電界通信携帯端末１０の収容部１２の中に配置されたＩＣカード１１の読取りが可能である状態を示している。前述のごとく電極板１３Ｂの寸法を短くしたため、区間３２が形成され、この区間３２を利用して、外部のＩＣカードリーダライタ３７のアンテナ３８からの磁束３９を通す磁路を形成することができる。また前述したように磁性材３４が設けられているため、同様に磁路が形成され、区間３２を通過した磁束３９はＩＤカード１１を通過する。これにより、外部に存するＩＣカードリーダライタ３７はＩＣカード１１の記録情報を読み取ることができる。これにより、例えば、自動改札機等のごとき電界通信用の送受信機がなくＩＣカードリーダライタのみが取り付けられた機械では、電界通信携帯端末１０のカードホルダ３１にＩＣカード１１を挿入したままの状態で改札認証等を行うことが可能となる。
【００３８】
なお上記の第１の実施形態に係る電界通信携帯端末１０の構造において、例えば、カードホルダ３１を透明なプラスチック等で形成し、さらに電極板１３Ａ，１３Ｂに透明な導電体（ＩＴＯ材（酸化インジウム・スズ））を用いれば、電界通信携帯端末１０内に配置したＩＣカード１１を外部から視認することができる。
また２枚の電極板１３Ａ，１３Ｂは板材部材として説明したが、平面体の電極であればよく、膜状に作ることも可能である。
さらに磁路を形成する上記の磁性材３４は必須ではなく、電極板１３Ａ，１３Ｂの抵抗値が相対的に小さい場合には設けることが好ましい。電極板１３Ａ，１３Ｂの抵抗値が相対的に大きい場合には省略することができる。
区間３２を形成するために電極板１３Ｂの寸法を短くしたが、電極板１３Ｂの形状や大きさを変えることにより磁束３９を通すための磁路を形成することもできる。
【００３９】
次に図５を参照して、本発明に係る電界通信携帯端末の第２の実施形態の構造を説明する。
この実施形態に係る電界通信携帯端末１０−２では、第１の実施形態に係る電界通信携帯端末１０の変形例として、電極板１３Ｂの長さ方向の寸法を大きくした電極板１３Ｂ−２を用いており、これにより図４（Ｂ）に示した上記の区間３２をなくすようした構造を有している。その他の構成は、第１の実施形態の場合と同じであるので、同一の要素には同一の符号を付し、その説明を省略する。この実施形態の場合には、区間３２がなくなるので、図４（Ｃ）で説明したような外部のＩＣカードリーダライタ３７によるＩＣカード１１の記録情報の読取りはできないが、それ以外の作用・効果については第１の実施形態に係る電界通信携帯端末１０で説明した作用・効果と同等である。
【００４０】
次に図６を参照して、本発明に係る電界通信携帯端末の第３の実施形態の構造を説明する。
この実施形態に係る電界通信携帯端末１０−３では、第１および第２の実施形態に係る電界通信携帯端末１０，１０−２とは異なり、ＩＣカード１１の収容部１２を電極板１３Ｂ−３の外側（図中下側）に設けている。また電極板１３Ｂ−３はその長さ方向の寸法が小さくなるように形成されており、区間４１によるスペースが形成されている。区間４１のスペースを通してＩＣカードリーダライタ１６のアンテナ１７はＩＣカード１１に対して磁束を出すことが可能となる。また電極板１３Ｂ−３の外側には磁路を形成する磁束材４２が設けられている。その他の構成は、第１の実施形態の場合と同じであるので、同一の要素には同一の符号を付し、その説明を省略する。この実施形態の場合には、ＩＣカード１１が外側の位置に配置されるので、外部からＩＣカード１１を見ることができると共に、外部のＩＣカードリーダライタで容易にＩＣカード１１の記録情報を読み取ることができるという利点を有している。
【００４１】
なお上記の各実施形態では、電極板１３Ｂの側について説明を行ったが、他方の電極板１３Ａについても同一または類似の構造を実現することにより同様な作用・効果を持たせることができる。
【００４２】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００４３】
本発明に係る電界通信携帯端末は、カードホルダ型の小型ケース内に電界通信装置とＩＣカードリーダライタとＩＣカード配置領域を内蔵し、電界通信を利用した利用者認証とＩＣカードを利用したＩＤ認証とを併用して行うことができ、より高度な認証機器として利用される。
【符号の説明】
【００４４】
１０            電界通信携帯端末
１０−２        電界通信携帯端末
１０−３        電界通信携帯端末
１０Ａ          スリット口
１０Ｂ          凹所
１１            ＩＣカード
１２            収容部
１３Ａ，１３Ｂ  電極板
１３Ｂ−２      電極板
１３Ｂ−３      電極板
１４            電界通信モジュール
１５            ＣＰＵ
１６            ＩＣカードリーダライタ
１７            アンテナ
１８            磁束
１９            ＣＰＵ
２０            メモリ
２１            通信部
３１            カードホルダ
３２            区間
３３            回路基板
３４            磁性材
３５，３６      導体部
３７            ＩＣカードリーダライタ
３８            アンテナ
３９            磁束
４１            区間
４２            磁性材
【図１】
2013223221.tif 000003
【図２】
2013223221.tif 000004
【図３】
2013223221.tif 000005
【図４】
2013223221.tif 000006
【図５】
2013223221.tif 000007
【図６】
2013223221.tif 000008